(57)【要約】【課題】電子メールとは異なる新規な情報伝達技術を提供する。【解決手段】携帯端末１０（ユーザＵ１の携帯端末）の表示部１４に電話帳画面が表示された状態で、リメンバーボタン４４が選択される場合に、携帯端末１０は、リメンバーコードを携帯端末５０（ユーザＵ２の携帯端末）に対して送信する。携帯端末５０の制御部５６は、ユーザＵ１の携帯端末１０からリメンバーコードを受信すると、メモリ６８からリメンバー画面を読み出して、表示部５４に表示させる。リメンバー画面には、リメンバー画面には、携帯端末１０（リメンバーコードの送信元）のユーザＵ１が、携帯端末５０（リメンバーコードの送信先）のユーザＵ２を思い出したことを示すメッセージが含まれている。【選択図】図２
2014191760.tif 000002
【特許請求の範囲】
【請求項１】
複数の表示領域に表示するための複数の情報を含む電子メールを通信可能な通信装置のためのアプリケーションプログラムであって、
前記アプリケーションプログラムは、前記通信装置に搭載されるコンピュータに、以下の各処理、即ち、
操作部に所定の操作が入力された場合に、前記所定の操作に対応する第１のコードを相手側装置に送信し、前記相手側装置に前記第１のコードに対応する第１のデータを電子メール表示画面とは異なる画面である所定の画面に表示させる送信処理であって、前記第１のデータ自体を前記相手側装置に送信しない前記送信処理と、
第２のコードを受信する場合に、前記第２のコードに対応する第２のデータをメモリから読み出して前記所定の画面に表示する表示処理と、
を実行させるアプリケーションプログラム。
【請求項２】
前記所定の操作は、
前記表示部において、前記相手側装置に関連付けられた相手ユーザの通信先情報が表示されている間に、前記通信装置のユーザが前記相手ユーザを思い出したことを示す操作であって、電子メールを送信するための操作とは異なる操作である、
前記請求項１に記載のアプリケーションプログラム。
【発明の詳細な説明】
【技術分野】
【０００１】
本明細書によって開示される技術は、複数の表示領域に表示するための複数の情報を含む電子メールを通信可能な通信装置のためのアプリケーションプログラムに関する。
【背景技術】
【０００２】
特許文献１には、送信者に毎回画像を選択又は作成させることなく、画像が添付された電子メールを自動的に作成して送信することを可能とする電子メール配信システムが開示されている。この電子メール配信システムでは、まず、送信元端末のユーザは、送信元端末において、表示に使用するキャラクターを予め指定した上で、電子メールの本文及び受信先メールアドレスを入力する。メールサーバは、送信元端末で入力された電子メールの本文を解析して、指定済みキャラクターの複数の画像の中から、本文の内容に適する画像を添付した電子メールを作成して、作成された電子メールを受信先に送信する。
【先行技術文献】
【特許文献】
【０００３】
【特許文献１】特開２００２−５５９３３号公報
【発明の概要】
【発明が解決しようとする課題】
【０００４】
特許文献１の技術では、送信元端末のユーザは、表示に使用するキャラクターを選択した上で、電子メールの本文を入力する必要がある。しかしながら、電子メールの本文をその都度入力する手間が煩わしい場合がある。電子メールとは異なる新規な情報伝達技術が求められている。
【０００５】
本明細書では、電子メールとは異なる新規な情報伝達技術を提供する。
【課題を解決するための手段】
【０００６】
本明細書は、複数の表示領域に表示するための複数の情報を含む電子メールを通信可能な通信装置のためのアプリケーションプログラムを開示する。アプリケーションプログラムは、通信装置に搭載されるコンピュータに、送信処理と、表示処理と、を実行させる。送信処理では、操作部に所定の操作が入力された場合に、所定の操作に対応する第１のコードを相手側装置に送信し、相手側装置に第１のコードに対応する第１のデータを電子メール表示画面とは異なる画面である所定の画面に表示させる。また、送信処理では、第１のデータ自体を相手側装置に送信しない。表示処理では、第２のコードを受信する場合に、第２のコードに対応する第２のデータをメモリから読み出して所定の画面に表示する。所定の画面は、電子メールを表示する電子メール表示画面とは異なる画面である。
【０００７】
上記のアプリケーションプログラムによると、通信装置は、操作部に所定の操作が入力された場合に、第１のコードを相手側装置に送信し、相手側装置に第１のコードに対応する第１のデータを電子メール表示画面とは異なる画面である所定の画面に表示させることができる。即ち、通信装置は、複数の表示領域（電子メールアドレス表示領域、タイトル表示領域、本文表示領域）を有する電子メールとは異なる手法で、相手側装置に第１のデータを表示させることができる。また、上記のアプリケーションプログラムによると、通信装置は、第２のコードを受信する場合に、第２のコードに対応する第２のデータをメモリから読み出して、電子メール表示画面とは異なる画面である所定の画面に表示させる。即ち、通信装置は、複数の表示領域（電子メールアドレス表示領域、タイトル表示領域、本文表示領域）を有する電子メールとは異なる手法で、所定の画面に第２のデータを表示させることもできる。即ち、上記のアプリケーションプログラムによると、通信装置は、電子メールとは異なる手法で相手ユーザとの間で情報を送受信することができる。
【０００８】
所定の操作は、表示部において、相手側装置に関連付けられた相手ユーザの通信先情報が表示されている間に、通信装置のユーザが相手ユーザを思い出したことに関係して行われる操作であって、電子メールを送信するための操作とは異なる操作であってもよい。
【０００９】
この構成によると、電子メールのように、本文やタイトル等の複数の表示領域に表示するための複数の情報を入力する操作を行う手間を要することなく、通信装置のユーザが、相手ユーザのことを思い出したことを伝達することができる。
【図面の簡単な説明】
【００１０】
【図１】通信システム２の構成を示す。
【図２】携帯端末１０、５０の表示部１４、５４に表示される各表示画面の例を示す。
【図３】リメンバー通信実行時のシーケンスチャートを示す。
【図４】リターン通信実行時のシーケンスチャートを示す。
【図５】携帯端末１０が実行する通信処理のフローチャートを示す。
【発明を実施するための形態】
【００１１】
（実施例）
（通信システム２の構成；図１）
図１に示すように、通信システム２は、一組の携帯端末１０、５０を備える。携帯端末１０と携帯端末５０は、インターネット４を介して通信を行うことができる。また、携帯端末１０と携帯端末５０は、ＰＳＴＮ（Public Switched Telephone Networkの略）６を介して電話通信を行うことができる。
【００１２】
（携帯端末１０の構成）
携帯端末１０は、例えば、携帯電話（例えばスマートフォン）等の、インターネット通信及び電話通信を実行可能な可搬型の端末である。本実施例では、携帯端末１０は、ユーザ名「Ｕ１」が示すユーザ（以下では単に「ユーザＵ１」と呼ぶ場合がある）が有している携帯端末である。携帯端末１０は、操作部１２と、表示部１４と、制御部１６と、ネットワークインターフェース（以下では、インターフェースのことを「Ｉ／Ｆ」と記載する）２０と、ＰＳＴＮＩ／Ｆ２２と、マイク２４と、スピーカ２６と、メモリ２８とを備える。操作部１２は、複数のキーを備える。表示部１４は、様々な情報を表示するためのディスプレイである。携帯端末１０は、操作部１２と表示部１４の両方の機能を有するタッチパネルを有していてもよい。
【００１３】
制御部１６は、メモリ２８に記憶されているプログラムに従って、様々な処理を実行する。制御部１６が実行する処理の内容は、後で図５を参照して詳しく説明する。
【００１４】
ネットワークＩ／Ｆ２０は、インターネット４に接続されている。制御部１６は、ネットワークＩ／Ｆ２０を介して、インターネット通信を実行することができる。ＰＳＴＮＩ／Ｆ２２は、ＰＳＴＮ６に接続されている。制御部１６は、ＰＳＴＮＩ／Ｆ２２を介して、電話通信を実行することができる。マイク２４及びスピーカ２６は、ユーザＵ１が通話を行う場合に利用される。
【００１５】
メモリ２８は、制御部１６によって実行される上記のプログラムを記憶する。プログラムには、携帯端末１０に、他の端末との間で、本実施例で説明する特定の通信（リメンバー通信及びリターン通信）を実行させるためのアプリケーションプログラム（以下では単に「アプリケーション」と呼ぶ場合がある）３０を含む。制御部１６は、インターネット４を介して、アプリケーションプログラム３０のベンダが提供するインターネットサーバ（図示省略）にアクセスし、そのサーバからアプリケーションプログラム３０をダウンロードする。制御部１６は、ダウンロードされたアプリケーションプログラム３０をメモリ２８にインストールする。この結果、アプリケーションプログラム３０がメモリ２８に格納される。なお、他の例では、アプリケーションプログラム３０は、携帯端末１０の出荷時に、ベンダによってメモリ２８に予め格納されていてもよい。
【００１６】
メモリ２８は、さらに、電話帳３２を記憶する。電話帳３２には、ユーザによって入力された複数のユーザ（例えば、携帯端末５０のユーザＵ２等）のそれぞれに対応する電話識別情報（電話番号）、電子メールアドレス、通算送信回数（特定の通信を送信した回数）、通算受信回数（特定の通信を受信した回数）等の個人情報が含まれている。制御部１６は、ユーザＵ１の求めに応じて、電話帳３２に含まれている各ユーザの個人情報を表示部１４に表示させることができる。
【００１７】
（携帯端末５０の構成）
携帯端末５０も、携帯端末１０と同様の構成を有する。本実施例では、携帯端末５０は、ユーザ名「Ｕ２」が示すユーザ（以下では単に「ユーザＵ２」と呼ぶ場合がある）が有している携帯端末である。携帯端末５０は、操作部５２と、表示部５４と、制御部５６と、ネットワークＩ／Ｆ６０と、ＰＳＴＮＩ／Ｆ６２と、メモリ６８と、を備える。携帯端末５０の各構成要素５２〜６８も、携帯端末１０の各構成要素１２〜２８と同様である。
【００１８】
また、メモリ６８も、携帯端末１０と同様に、アプリケーションプログラム７０、電話帳７２を記憶する。アプリケーションプログラム７０、電話帳７２も、携帯端末１０のアプリケーションプログラム３０、電話帳３２と同様である。
【００１９】
（携帯端末１０、５０が実行する通信の概要；図２、図３、図４）
図２、図３、図４を参照して、携帯端末１０、５０がアプリケーション３０、７０に従って実行する特定の通信（リメンバー通信、リターン通信）の概要を説明する。ここで、リメンバー通信（図３）とは、送信元端末のユーザが、相手ユーザに対して、相手ユーザのことを思い出したこと（相手ユーザのことを考えていること）を伝達するための通信である。また、リターン通信（図４）とは、送信元端末のユーザが、相手ユーザに対して、相手ユーザのことを思い出したことを伝達するとともに、相手ユーザからの連絡を待っていることを伝達するための通信である。後で説明するように、リメンバー通信、リターン通信を行う場合には、送信元端末のユーザは、相手ユーザに対するメッセージ本文やタイトルを入力する必要はなく、単に送信元端末の表示部に表示されたボタンを押す操作を実行するだけでよいことを特徴とする。
【００２０】
図２の例では、ユーザＵ１の携帯端末１０が送信元端末であり、ユーザＵ２の携帯端末５０が相手側端末である。ユーザＵ１が操作部１２を操作して、メモリ２８内の電話帳３２を表示させるための所定の操作を実行すると、制御部１６は、表示部１４に電話帳画面を表示させる。電話帳画面には、電話帳３２に含まれる個人情報が表示される。図２の例では、電話帳画面には、ユーザＵ２の個人情報が表示されている。図２に示すように、ユーザＵ２の個人情報には、相手の名前（ユーザ名）「Ｕ２」、電話番号「０９０−ｘｘｘｘ−ｘｘｘｘ」、電子メールアドレス「ｘｘｘ＠ｘｘｘｘ．ｊｐ」、通算送信回数「１４」、通算受信回数「１０」が表示されている。以下、本実施例では、電話番号と電子メールアドレスのうちの少なくとも一方のことを「通信先情報」と呼ぶ場合がある。通算送信回数は、ユーザＵ１がユーザＵ２に対して特定の通信（リメンバー通信及びリターン通信）を送信した通算回数を表す。通算受信回数は、ユーザＵ１がユーザＵ２からの特定の通信を受信した通算回数を表す。
【００２１】
図２に示すように、電話帳画面には、ユーザＵ２の個人情報とともに、電話ボタン４０、メールボタン４２、リメンバーボタン４４、リターンボタン４６の各ボタンがさらに表示されている。ユーザＵ１は、操作部１２を操作して、いずれかのボタンを選択する操作を実行することができる。電話ボタン４０が選択される場合、制御部１６は、ＰＳＴＮ６を介して、ユーザＵ２の携帯端末５０に通話要求を送信する。メールボタン４２が選択される場合、制御部１６は、表示部１４に新規電子メール作成画面（図示しない）を表示する。ユーザＵ１は、新規電子メール作成画面において電子メールを作成し、作成した電子メールを、インターネット４を介して携帯端末５０に送信することができる。
【００２２】
（リメンバー通信；図３）
リメンバーボタン４４が選択されると、リメンバー通信が実行される。図３に示すように、携帯端末１０の制御部１６は、インターネット４を介して、所定のリメンバーコードをユーザＵ２の携帯端末５０に送信する。携帯端末５０の制御部５６は、ユーザＵ１の携帯端末１０からリメンバーコードを受信すると、メモリ６８からリメンバー画面を読み出して、表示部５４に表示させる。表示部５４に表示されるリメンバー画面の内容は、メモリ６８内のアプリケーションプログラム７０に含まれている。図２に示すように、リメンバー画面には、携帯端末１０（リメンバーコードの送信元）のユーザＵ１が、携帯端末５０（リメンバーコードの送信先）のユーザＵ２を思い出したことを示すメッセージが含まれている。また、リメンバー画面には、通算送信回数「１０」、通算受信回数「１５」が表示されている。通算送信回数は、ユーザＵ１がユーザＵ２に対して特定の通信（リメンバー通信及びリターン通信）を送信した通算回数を表す。通算受信回数は、ユーザＵ１がユーザＵ２からの特定の通信を受信した通算回数を表す。リメンバー画面における、リメンバーコードの送信元のユーザを表す「Ｕ１」、通算送信回数を表す「１０」、通算受信回数を表す「１５」というそれぞれの文字列は、携帯端末５０の制御部５６がリメンバーコードの送信元を認識した結果に対応して表示されている。表示部５４にリメンバー画面が表示されることにより、ユーザＵ２は、ユーザＵ１がユーザＵ２のことを思い出したことを知ることができる。従って、ユーザＵ１は、電子メールのタイトル及び本文を作成したり、絵文字、画像等を選択したりする手間をかけずに、ユーザＵ２に対して、ユーザＵ２のことを思い出していることを伝達することができる。
【００２３】
（リターン通信；図４）
一方、リターンボタン４６が選択されると、リターン通信が実行される。図４に示すように、携帯端末１０の制御部１６は、インターネット４を介して、所定のリターンコードをユーザＵ２の携帯端末５０に送信する。携帯端末５０の制御部５６は、ユーザＵ１の携帯端末１０からリターンコードを受信すると、メモリ６８からリターン画面を読み出して、表示部５４に表示させる。表示部５４に表示されるリターン画面の内容も、メモリ６８内のアプリケーションプログラム７０に含まれている。図２に示すように、リターン画面には、携帯端末１０（リメンバーコードの送信元）のユーザＵ１が、携帯端末５０（リメンバーコードの送信先）のユーザＵ２からの連絡を待っていることを示すメッセージが含まれている。また、リターン画面にも、通算送信回数「１０」、通算受信回数「１５」が表示されている。リターン画面における、リメンバーコードの送信元のユーザを表す「Ｕ１」、通算送信回数を表す「１０」、通算受信回数を表す「１５」というそれぞれの文字列は、携帯端末５０の制御部５６がリターンコードの送信元を認識した結果に対応して表示されている。表示部５４にリターン画面が表示されることにより、ユーザＵ２は、ユーザＵ１がユーザＵ２のことを思い出したこと、及び、ユーザＵ１がユーザＵ２からの連絡を待っていることを知ることができる。従って、ユーザＵ１は、電子メールを作成したり、絵文字や画像等を選択したりする手間をかけずに、ユーザＵ２に対して、ユーザＵ１がユーザＵ２のことを思い出したこと、及び、ユーザＵ１がユーザＵ２からの連絡を待っていることを伝達することができる。
【００２４】
また、リターン画面には、さらに、電話ボタン８０とメールボタン８２が表示される。ユーザＵ２は、操作部５２を操作して、いずれかのボタンを選択する操作を実行することができる。電話ボタン８０が選択される場合、制御部５６は、ＰＳＴＮ６を介して、ユーザＵ１の携帯端末１０に通話要求を送信する。メールボタン８２が選択される場合、制御部５６は、表示部５４に新規電子メール作成画面（図示しない）を表示する。ユーザＵ２は、新規電子メール作成画面において電子メールを作成し、作成した電子メールを、インターネット４を介して携帯端末１０に送信することができる。
【００２５】
（携帯端末１０が実行する通信処理；図５）
次いで、図５を参照して、携帯端末１０の制御部１６がアプリケーションプログラム３０に従って実行する通信処理の内容を説明する。なお、携帯端末５０の制御部５６がアプリケーションプログラム７０に従って実行する処理の内容も、携帯端末１０の場合と同様である。携帯端末１０の電源がＯＮされると、制御部１６は、図５の通信処理を開始する。制御部１６は、通信処理を開始すると、Ｓ１０及びＳ２０の監視を同時的に実行する。
【００２６】
Ｓ１０では、制御部１６は、操作部１２において、コード（リメンバーコード又はリターンコード）を送信する送信指示が入力されることを監視する。表示部１４に電話帳画面（図２参照）が表示された状態で、リメンバーボタン４４とリターンボタン４６のうちの一方のボタンが選択される場合、制御部１６は、Ｓ１０でＹＥＳと判断して、Ｓ１２に進む。
【００２７】
Ｓ１２では、制御部１６は、入力された送信指示が、リメンバーコードの送信指示であるか否かを判断する。電話帳画面で選択されたボタンがリメンバーボタン４４である場合、制御部１６は、Ｓ１２でＹＥＳと判断して、Ｓ１４に進む。一方、電話帳画面で選択されたボタンがリターンボタン４６である場合、制御部１６は、Ｓ１２でＮＯと判断して、Ｓ１６に進む。
【００２８】
Ｓ１４では、制御部１６は、電話帳画面（図２参照）に表示されている相手ユーザ（例えばユーザＵ２）の通信先情報（例えば、電話番号「０９０−ｘｘｘｘ−ｘｘｘｘ」、電子メールアドレス「ｘｘｘ＠ｘｘｘｘ．ｊｐ」）を送信先として、インターネット４を介してリメンバーコードを送信する。リメンバーコードには、送信元の携帯端末１０に対応する通信先情報（即ち、ユーザＵ１の電話番号又は電子メールアドレス）が含まれる。制御部１６は、リメンバーコードを送信すると、メモリ２８内の電話帳３２に含まれる相手ユーザ（例えばユーザＵ２）に対する通算送信回数の値を１インクリメントする。
【００２９】
一方、Ｓ１６では、制御部１６は、電話帳画面（図２参照）に表示されている相手ユーザの通信先情報を送信先として、インターネット４を介してリターンコードを送信する。リターンコードにも、送信元の携帯端末１０に対応する通信先情報（即ち、ユーザＵ１の電話番号又は電子メールアドレス）が含まれる。制御部１６は、リターンコードを送信すると、メモリ２８内の電話帳３２に含まれる相手ユーザ（例えばユーザＵ２）に対する通算送信回数の値を１インクリメントする。
【００３０】
Ｓ１４又はＳ１６を終えると、制御部１６は、再び、Ｓ１０及びＳ２０の監視に戻る。
【００３１】
Ｓ２０では、制御部１６は、コード（リメンバーコード又はリターンコード）を受信することを監視する。上記のアプリケーションがインストールされた他の携帯端末（例えば携帯端末５０）は、携帯端末１０を送信先としてコード（リメンバーコード又はリターンコード）を送信することができる。制御部１６は、ネットワークＩ／Ｆ２０を介して、他の携帯端末から送信されたコードを受信すると、Ｓ２０でＹＥＳと判断して、Ｓ２２に進む。
【００３２】
Ｓ２２では、制御部１６は、受信されたコードがリメンバーコードであるか否かを判断する。制御部１６は、受信されたコードの種類をチェックし、リメンバーコードであると判断する場合、Ｓ２２でＹＥＳと判断して、Ｓ２４に進む。一方、制御部１６は、受信されたコードの種類がリターンコードであると判断する場合、Ｓ２２でＮＯと判断して、Ｓ２６に進む。
【００３３】
Ｓ２４では、制御部１６は、メモリ２８からリメンバー画面（図２参照）を読み出して、表示部１４に表示させる。具体的に言うと、Ｓ２４では、制御部１６は、受信されたリメンバーコードに含まれる通信先情報（即ち、リメンバーコードの送信先の携帯端末（例えば携帯端末５０）の電話番号又は電子メールアドレス）に対応する送信元ユーザの名前（例えばユーザＵ２）をメモリ２８内の電話帳３２から特定する。また、制御部１６は、特定された送信元ユーザ（例えばユーザＵ２）に対応する通算受信回数の値を１インクリメントする。次いで、制御部１６は、特定された送信元ユーザ（例えばユーザＵ２）の名前、送信元ユーザが相手ユーザ（この場合ユーザＵ１）を思い出したことを示すメッセージ、送信元ユーザに対する通算送信回数、及び、送信元ユーザからの通算受信回数を含むリメンバー画面（図２参照）を表示部１４に表示させる。上記の通り、表示部１４に表示されるリメンバー画面の内容はアプリケーションプログラム３０に含まれている。
【００３４】
表示部１４にリメンバー画面が表示されている間に、携帯端末１０のユーザＵ１が、操作部１２で所定の表示終了操作を行うと、制御部１６は、リメンバー画面の表示を終了する。他の例では、制御部１６は、所定期間リメンバー画面が表示部１４に表示された場合に、自動的にリメンバー画面の表示を終了してもよい。リメンバー画面の表示が終了すると、Ｓ２４が終了する。
【００３５】
Ｓ２６では、制御部１６は、メモリ２８からリターン画面（図２参照）を読み出して、表示部１４に表示させる。具体的に言うと、Ｓ２６では、制御部１６は、受信されたリメンバーコードに含まれる通信先情報に対応する送信元ユーザの名前（例えばユーザＵ２）をメモリ２８内の電話帳から特定する。また、制御部１６は、特定された送信元ユーザ（例えばユーザＵ２）に対応する通算受信回数の値を１インクリメントする。次いで、制御部１６は、特定された送信元ユーザ（例えばユーザＵ２）の名前、送信元ユーザが相手ユーザ（ユーザＵ１）を思い出したことを示すメッセージ、送信元ユーザに対する通算送信回数、送信元ユーザからの通算受信回数、電話ボタン、及び、メールボタンを含むリターン画面（図２参照）を表示部１４に表示させる。上記の通り、表示部１４に表示されるリターン画面の内容もアプリケーションプログラム３０に含まれている。
【００３６】
表示部１４にリターン画面が表示されている間に、携帯端末１０のユーザＵ１が、操作部１２で所定の表示終了操作を行うと、制御部１６は、リターン画面の表示を終了する。また、携帯端末１０のユーザＵ１が、操作部１２を操作して、電話ボタン又はメールボタンを選択する操作を実行する場合も、制御部１６は、リターン画面の表示を終了する。他の例では、制御部１６は、所定期間リターン画面が表示部１４に表示された場合に、自動的にリターン画面の表示を終了してもよい。リターン画面の表示が終了すると、Ｓ２６が終了する。
【００３７】
Ｓ２４又はＳ２６を終えると、制御部１６は、再び、Ｓ１０及びＳ２０の監視に戻る。
【００３８】
以上、図５の通信処理について説明した。制御部１６は、電源がＯＮされている間、図５の通信処理を繰り返し実行する。
【００３９】
（本実施例の効果）
上記の通り、本実施例では、携帯端末１０は、リメンバーコード（又はリターンコード）を受信する場合に、リメンバー画面（又はリターン画面）を、メモリ２８から読み出して表示する（図５のＳ２４、Ｓ２６参照）。図２に示すように、リメンバー画面（又はリターン画面）は、電子メールとは異なり、複数の表示領域（電子メールアドレス表示領域、タイトル表示領域、本文表示領域）を有さない。即ち、本実施例では、アプリケーション（３０、７０）がインストールされている携帯端末１０、５０は、電子メールとは異なる手法で相手ユーザに情報を伝達することができる。特に、リメンバー通信の場合には、電子メールによる情報伝達のように、受信者が電子メールの記載内容を見て返信する義務感を抱いてしまうことがない。また、送信者側においても、受信者が返信の義務感を抱くことを気にして、受信者へのメールの送信をためらってしまうということもない。そのため、送信者と受信者とが相互に気軽な情報伝達をすることができる。
【００４０】
本実施例では、携帯端末１０の表示部１４に電話帳画面（図２参照）が表示された状態で、リメンバーボタン４４とリターンボタン４６のうちの一方のボタンが選択される場合に、携帯端末１０は、リメンバーコード又はリターンコードを送信先に対して送信する。そのため、本実施例によると、電子メールのように、本文やタイトル等の複数の表示領域に表示するための複数の情報を入力する手間を要することなく、携帯端末１０のユーザＵ１が、相手ユーザのことを思い出したこと（及び連絡を待っていること）を伝達することができる。
【００４１】
（対応関係）
電話帳画面において、リメンバーボタン４４（又はリターンボタン４６）が選択される操作が、「所定の操作」の一例である。リメンバーコード（又はリターンコード）が「第１のコード」、「第２のコード」の一例である。リメンバー画面及びリターン画面（図２参照）に表される各情報（送信元のユーザを表すユーザ名、メッセージ、通算送信回数、通算受信回数等）が、「第１のデータ」、「第２のデータ」の一例である。リメンバー画面（又はリターン画面）が「所定の画面」の一例である。
【００４２】
以上、実施例を詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を採用してもよい。
【００４３】
（変形例１）上記の実施例では、携帯端末１０の制御部１６は、リメンバーコード（又はリターンコード）を受信すると、リメンバー画面（又はリターン画面）を表示部１４に表示させているが、表示部１４に表示する内容は、図２のリメンバー画面（又はリターン画面）で示した各内容（送信元のユーザを表すユーザ名、メッセージ、通算送信回数、通算受信回数等）に限られるものではなく、リターンコード（又はリターンコード）に対応するデータであれば、任意の内容を含んでもよい。例えば、リターンコード（又はリターンコード）に対応するデータが、その内容として、リメンバーコード（又はリターンコード）の送信先のユーザである「Ｕ２」を表すものである場合には、リメンバーコード（又はリターンコード）を表す文字、記号、図形、アイコンその他の標識を、送信先のユーザを表す「Ｕ２」の表記と対応付けて、表示部１４に表示させる構成を採用してもよい。また、こうした各種内容を表示するための画面は、上記実施例のようなリメンバー画面（又はリターン画面）に限られるものではなく、待ち受け画面や電話帳画面等の携帯端末１０が通常備える画面であっても良い。電話帳画面に表示する場合において、リメンバーコード（又はリターンコード）の送信先のユーザが既に電話帳３２に登録されている場合には、当該送信先のユーザが登録されている電話帳画面に、リメンバーコード（又はリターンコード）を表す文字、記号、図形、アイコンその他の標識を対応付けて表示する構成を考えることができる。こうした携帯端末１０が通常備える画面中に、リメンバーコード（又はリターンコード）を受信したことを示すアイコンを表示させるようにしてもよい。その場合、制御部１６は、携帯端末１０のユーザＵ１によって、通常画面中に表示されたアイコンを選択する操作が行われる場合に、リメンバー画面（又はリターン画面）を表示部１４に表示させるようにしてもよい。本変形例では、リターンコード（又はリターンコード）に対応するデータが「第１のデータ」、「第２のデータ」の一例である。また、リメンバー画面（又はリターン画面）、及び、待ち受け画面や電話帳画面等の携帯端末１０が通常備える画面が、「所定の画面」の一例である。
【００４４】
（変形例２）リメンバー画面、及び、リターン画面（図２参照）中に、図２の電話帳画面中のリメンバーボタン４４、リターンボタン４６と同様のリメンバーボタン及びリターンボタンを表示させるようにしてもよい。その場合、例えば、携帯端末１０の表示部１４にリメンバー画面が表示されている間に、リメンバー画面中のリメンバーボタンが選択される操作が行われると、携帯端末１０の制御部１６は、リメンバーコードを相手ユーザ宛に送信（返信）することができる。本変形例によると、ユーザ間のリメンバー通信（又はリターン通信）の継続が容易となる。
【００４５】
（変形例３）上記の実施例では、リメンバーコード及びリターンコードは、インターネット４を介して送受信されている。上記の実施例では、リメンバーコード及びリターンコードの送受信は、各ユーザの携帯端末の電子メールアドレスを送信元及び送信先として行われている。これに限られず、リメンバーコード及びリターンコードは、ＰＳＴＮ６を介して送受信されてもよい。その場合、リメンバーコード及びリターンコードの送受信は、各ユーザの携帯端末の電話番号を送信元及び送信先として行われてもよい。
【００４６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００４７】
２：通信システム
４：インターネット
６：ＰＳＴＮ
１０、５０：携帯端末
１２、５２：操作部
１４、５４：表示部
１６、５６：制御部
２０、６０：ネットワークＩ／Ｆ
２２、６２：ＰＳＴＮＩ／Ｆ
２４、６４：マイク
２６、６６：スピーカ
２８、６８：メモリ
３０、７０：アプリケーションプログラム
３２、７２：電話帳
４０：電話ボタン
４２：メールボタン
４４：リメンバーボタン
４６：リターンボタン
８０：電話ボタン
８２：メールボタン
【図１】
2014191760.tif 000003
【図２】
2014191760.tif 000004
【図３】
2014191760.tif 000005
【図４】
2014191760.tif 000006
【図５】
2014191760.tif 000007